【手続補正書】
【提出日】平成18年12月25日(2006.12.25)
【手続補正１】
【補正対象書類名】明細書
【補正対象項目名】発明の名称
【補正方法】変更
【補正の内容】
【発明の名称】インクジェットプリント方法およびインクジェットプリント装置
【手続補正２】
【補正対象書類名】明細書
【補正対象項目名】特許請求の範囲
【補正方法】変更
【補正の内容】
【特許請求の範囲】
【請求項１】  インク中に含まれる顔料に対して化学的に反応する成分を含む処理液をプリント媒体の表面層に浸透せしめた後、前記顔料を含むインク滴を前記プリント媒体の表面のうち前記処理液が与えられている部分に着弾させる工程を含むインクジェットプリント方法であって、
前記処理液に付与される前記顔料の浸透深さは、前記プリント媒体に対する前記インクのみを付与した場合に形成される着色部における顔料の浸透深さよりも深く、かつ前記処理液の浸透深さよりも浅いことを特徴とするインクジェットプリント方法。
【請求項２】  前記処理液に付与される前記顔料の浸透深さは、１５μｍ以上３０μｍ以内に規制されることを特徴とする請求項１に記載のインクジェットプリント方法。
【請求項３】  プリント媒体の表面にインク受容部を形成し、前記インク受容部に対して接触するようにインクを付着させることによりプリントを行なうインクジェットプリント方法であって、
前記インク受容部は、浸透剤及びインク中の色材の不溶化剤を含有した処理液をプリント媒体表面に付着させることで形成され、
前記インクは、色材として顔料を含有し、
前記プリント媒体への着弾時における、前記インク受容部を形成する処理液の１画素当りの平均液厚が１０μｍ以下であり、
１画素当りのインクの体積に対する処理液の体積比が１／８以上であり、さらに、
前記プリント媒体への着弾時における前記インクの１画素当りの平均液厚が８μｍ以上２０μｍ以下である
ことを特徴とするインクジェットプリント方法。
【請求項４】  前記色材中の顔料は、カーボンブラックであることを特徴とする請求項３に記載のインクジェットプリント方法。
【請求項５】  前記カーボンブラックは、自己分散型顔料であることを特徴とする請求項４に記載のインクジェットプリント方法。
【請求項６】  前記インク中の全色材に対する前記カーボンブラックの比率は、３０質量％以上であることを特徴とする請求項４または５に記載のインクジェットプリント方法。
【請求項７】  前記色材は、カーボンブラックと染料とを含むことを特徴とする請求項４から６のいずれかに記載のインクジェットプリント方法。
【請求項８】  前記浸透剤は、非イオン性界面活性剤を有することを特徴とする請求項３から７のいずれかに記載のインクジェットプリント方法。
【請求項９】  前記非イオン性界面活性剤は、水に対する臨界ミセル濃度以上含有されていることを特徴とする請求項８に記載のインクジェットプリント方法。
【請求項１０】  前記不溶化剤は、顔料に対して、異極性の高分子成分を有することを特徴とする請求項３から９のいずれかに記載のインクジェットプリント方法。
【請求項１１】  前記高分子成分は、ポリアリルアミンを有することを特徴とする請求項１０に記載のインクジェットプリント方法。
【請求項１２】  前記インク受容部を形成する処理液によるエリアファクターは、５０％以上であることを特徴とする請求項３から１１のいずれかに記載のインクジェットプリント方法。
【請求項１３】  プリント媒体の表面にインク受容部を形成し、前記インク受容部に対して接触するようにインクを付着させることによりプリントを行なうインクジェットプリント装置であって、
前記インク受容部は、浸透剤及び前記インク中の色材の不溶化剤を含有した処理液をプリント媒体表面に付着させることで形成され、
前記インクは、色材として顔料を含有し、
前記インク受容部を形成する処理液のプリント媒体への着弾時における１画素当りの平均液厚を１０μｍ以下とし、
１画素当りのインクの体積に対する処理液の体積比を１／８以上とし、さらに、
前記インクのプリント媒体への着弾時における１画素当りの平均液厚を８μｍ以上２０μｍ以下とする
ことを特徴とするインクジェットプリント装置。
【請求項１４】  前記色材中の顔料は、カーボンブラックであることを特徴とする請求項１３に記載のインクジェットプリント装置。
【請求項１５】  前記カーボンブラックは、自己分散型顔料であることを特徴とする請求項１４に記載のインクジェットプリント装置。
【請求項１６】  前記カーボンブラックの全色材中の比率は、３０質量％以上であることを特徴とする請求項１４または１５に記載のインクジェットプリント装置。
【請求項１７】  前記色材は、カーボンブラックと染料とを含むことを特徴とする請求項１４から１６のいずれかに記載のインクジェットプリント装置。
【請求項１８】  前記浸透剤は、非イオン性界面活性剤を有することを特徴とする請求項１３から１７のいずれかに記載のインクジェットプリント装置。
【請求項１９】  前記非イオン性界面活性剤は、水に対する臨界ミセル濃度以上含有されていることを特徴とする請求項１８に記載のインクジェットプリント装置。
【請求項２０】  前記不溶化剤は、顔料に対して、異極性の高分子成分を有することを特徴とする請求項１３から１９のいずれかに記載のインクジェットプリント装置。
【請求項２１】  前記高分子成分は、ポリアリルアミンを有することを特徴とする請求項２０に記載のインクジェットプリント装置。
【請求項２２】  前記インク受容部を形成する処理液によるエリアファクターは、５０％以上であることを特徴とする請求項１３から２１のいずれかに記載のインクジェットプリント装置。
【手続補正３】
【補正対象書類名】明細書
【補正対象項目名】００１３
【補正方法】変更
【補正の内容】
【００１３】
【課題を解決するための手段】
そのために本発明では、インク中に含まれる顔料に対して化学的に反応する成分を含む処理液をプリント媒体の表面層に浸透せしめた後、前記顔料を含むインク滴を前記プリント媒体の表面のうち前記処理液が与えられている部分に着弾させる工程を含むインクジェットプリント方法であって、前記処理液に付与される前記顔料の浸透深さは、前記プリント媒体に対する前記インクのみを付与した場合に形成される着色部における顔料の浸透深さよりも深く、かつ前記処理液の浸透深さよりも浅いことを特徴とする。
【手続補正４】
【補正対象書類名】明細書
【補正対象項目名】００１４
【補正方法】変更
【補正の内容】
【００１４】
また、プリント媒体の表面にインク受容部を形成し、前記インク受容部に対して接触するようにインクを付着させることによりプリントを行なうインクジェットプリント方法であって、前記インク受容部は、浸透剤及びインク中の色材の不溶化剤を含有した処理液をプリント媒体表面に付着させることで形成され、前記インクは、色材として顔料を含有し、前記プリント媒体への着弾時における、前記インク受容部を形成する処理液の１画素当りの平均液厚が１０μｍ以下であり、１画素当りのインクの体積に対する処理液の体積比が１／８以上であり、さらに前記プリント媒体への着弾時における前記インクの１画素当りの平均液厚が８μｍ以上２０μｍ以下であることを特徴とする。
【手続補正５】
【補正対象書類名】明細書
【補正対象項目名】００１５
【補正方法】変更
【補正の内容】
【００１５】
さらに、プリント媒体の表面にインク受容部を形成し、前記インク受容部に対して接触するようにインクを付着させることによりプリントを行なうインクジェットプリント装置であって、前記インク受容部は、浸透剤及び前記インク中の色材の不溶化剤を含有した処理液をプリント媒体表面に付着させることで形成され、前記インクは、色材として顔料を含有し、前記インク受容部を形成する処理液のプリント媒体への着弾時における１画素当りの平均液厚を１０μｍ以下とし、１画素当りのインクの体積に対する処理液の体積比を１／８以上とし、さらに前記インクのプリント媒体への着弾時における１画素当りの平均液厚を８μｍ以上２０μｍ以下とすることを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】